(57)【特許請求の範囲】
【請求項１】
伸縮自在な弾性材からなり陰茎に巻き付けられる装着帯と、
脚部の膝下側に巻き付けられる支持部材と、
これらの支持部材と装着帯を連結して陰茎を引張矯正する弾性的に伸縮可能な引張部材と
を備えてなる陰茎長さ矯正具。
【請求項２】
伸縮自在で柔軟性を有する保護部材を介して、前記装着帯を陰茎に巻き付けるように構成したことを特徴とする請求項１記載の陰茎長さ矯正具。
【請求項３】
前記装着帯に連結紐の両端を止着し、この連結紐に前記引張部材の一端を連結し、他端を前記支持部材に連結するように構成したことを特徴とする請求項１又は２記載の陰茎長さ矯正具。
【発明の詳細な説明】
【０００１】
【発明の属する技術分野】
この発明は、短小で悩む男性が陰茎長さを矯正するのに好適な陰茎長さ矯正具に関する。
【０００２】
【従来の技術】
男性週刊誌等に寄せられる性に関する相談の中に、陰茎が短小なことで深刻に悩んでいる人が多く見られる。陰茎短小の悩みを医療的に解決する場合は、一般に、成形外科手術によりシリコンのような異物を陰茎に注入するなどの処置が採られている。しかし、成形外科手術による場合は、高価な手術費用が必要となり、合併症の発生などの危険も伴うし、そもそも事柄の性質上、恥ずかしさから気軽に病院へ出向き難いという問題もある。
【０００３】
そのような背景があることから、従来、医学的処置によらないで個人的に陰茎短小を解決する目的で、機械的軟組織拡大器なるものが開発され開示されている（特表平１１−５１４８９２号公報参照）。この従来の拡大器は、図９に示すように、全体を貞操帯状に形成し、符号１で示すストラップに連結して板状リム２を下腹部の位置する部位に設け、この板状リム２の陰茎の位置する部位に剛性ドーム３を突設するとともに、その上側に真空ポンプ４を付設した構成にしている。真空ポンプ４には、電源・圧力センサ・圧力調整用のサーボ機構等を内蔵している。
【０００４】
そして、使用時、真空ポンプ４を作動して剛性ドーム３内を所定の負圧状態にすることにより、ドーム３内に挿入した陰茎の軟細胞組織を拡大させる構造になっている。
【０００５】
【発明が解決しようとする課題】
ところが、上述のような従来のものでは、真空ポンプ等の装置を備える複雑な構造となり、そのためコストも極めて高い。しかも、剛性ドーム３の外形構造上、装着したままでは就眠したり、歩行したりすることが難しくて日常生活に支障をきたし、体裁もよくないために気軽には使用できない。
そこで、この発明は、簡単な構造で安価で、装着状態でも日常生活に支障をきたさず気軽に使用できる陰茎長さ矯正具を提供することを目的とする。
【０００６】
【課題を解決するための手段】
上記目的を達成するため、この発明の陰茎長さ矯正具は、伸縮自在な弾性材からなり陰茎に巻き付けられる装着帯と、脚部の膝下側に巻き付けられる支持部材と、これらの支持部材と装着帯を連結して陰茎を引張矯正する弾性的に伸縮可能な引張部材とを備えてなることを特徴としている。
【０００７】
また、この発明の陰茎長さ矯正具は、伸縮自在で柔軟性を有する保護部材を介して、前記装着帯を陰茎に巻き付けるように構成にするとよい。さらに、この発明の陰茎長さ矯正具は、前記装着帯に連結紐の両端を止着し、この連結紐に前記引張部材の一端を連結し、他端を前記支持部材に連結するように構成するとよい。
【０００８】
【発明の実施の形態】
以下、図面を参照しつつ、この発明の実施の形態について詳細に説明する。図１に、この発明に係る陰茎長さ矯正具がその使用状態において示されている。陰茎長さ矯正具は、膝Ａの下側に巻き付けられる支持部材１０と、陰茎Ｂに巻き付けられる装着帯１１とを引張部材１２で連結した構成となっている。
【０００９】
支持部材１０は、膝下周りの大きさに対応する適宜長さの帯材を用いて形成されている。支持部材１０は、図２（イ）にも示されるように、その両端部の内面及び外面に一般にマジックテープ（登録商標）とも称されるベルクロファスナー（登録商標、以下同じ）１３の各片が止着されている。これにより、支持部材１０の両端部は、ベルクロファスナー１３の両片の接着面を貼り合わせて着脱自在に環状に連結できるようになっている。
【００１０】
支持部材１０は、両端部をベルクロファスナー１３で止めてもよいが、周知のベルト止め金具で掛け止めて環状に連結できるようにしてもよい。支持部材１０としては、適宜素材からなる紐材を用いることもできる。その他、支持部材１０として適宜の樹脂製テープ材などを用いてもよい。
【００１１】
装着帯１１は、陰茎の太さに対応する適宜長さの伸縮性を有する弾性材、たとえば織平ゴム材を用いて形成されている。そして、図２（ロ）にも示されるように、支持部材１０の場合と同様に、その両端部の内面及び外面にベルクロファスナー１４の各片が止着され、両片の接着面を貼り合わせて着脱自在にリング状に連結できるようになっている。この装着帯１１には、図１に示すように、引張部材１２を連結するために、連結紐１５の両端が縫い付けにより止着されている。
【００１２】
引張部材１２は、適宜長さの伸縮性を有する弾性材、たとえば織平ゴム材を用いて形成されている。そして、一端に縫い付けて形成したループ部１２ａに連結紐１５を挿通し、他端に縫い付けて形成したループ部１２ｂに支持部材１０を挿通して支持部材１０と装着帯１１とが連結されている。
【００１３】
さて、上述した本発明の陰茎長さ矯正具を使用する場合は、たとえば就寝時、図１に示すように、膝Ａの下側に支持部材１０を巻き付けてベルクロファスナー１３で止める。そして、膝Ａを曲げて股間に近づけた姿勢で、装着帯１１を亀頭近くの先端寄りで陰茎Ｂに巻き付け、ベルクロファスナー１４で止めてから、膝Ａを伸ばしながら身体を横に寝かせる。このとき、膝Ａを伸ばすと、それに応じて引張部材１２が弾性的に伸長し、その弾性力で陰茎Ｂが引っ張られる。こうして引張部材１２で陰茎Ｂを引っ張った状態のまま就眠する。仮に、途中で陰茎Ｂが勃起することがあっても、それに応じて装着帯１１が伸びて陰茎形状に追従する。
【００１４】
このようにして毎晩継続して使用すると、経時、陰茎Ｂを構成する海綿体の軟細胞が増殖し、引っ張られて伸長した長さ形状に馴染んでくる。つまり、本矯正具を装着しない間もそのまま伸長状態が持続され、この伸長状態が自然状態となり、短小が解消されるに至る。この場合、長さのみならず、直径も増大する効果がある。また、陰茎Ｂを引っ張ることによって、その軟細胞の伸縮性が増し、その結果、勃起時における膨張率が増大する効果もある。
【００１５】
この発明の陰茎長さ矯正具は、上述のような就寝時に装着する場合に限らず、装着したまま歩行するなど、日常生活を支障なく遂行することができる。排尿も、引張部材１２を伸ばして行えば、邪魔にならず可能である。こうして昼夜装着することで、より一層陰茎Ｂの引張矯正効果を上げることができる。もちろん年齢的に若年なほど引張矯正効果を上げることができる。
【００１６】
ところで、上述した陰茎長さ矯正具において、支持部材１０は、別途に止め具を使わず、図３に示すように紐材で構成し、その両端を単に結んで膝Ａに止めるようにすることもできる。また図示は省略するが、支持部材を無端状のゴムバンドのような弾性材で形成することにより、同様に止め具を使わず、足を通して弾性的に膝Ａに締め付けて止めるようにすることもできる。
【００１７】
また、この発明の陰茎長さ矯正具は、装着帯１１の巻き付け時に違和感を生じないように、図４に示すように、陰茎Ｂに保護部材１６を介して装着帯１１を巻き付ける構成にするとよい。その場合、保護部材１６として、伸縮自在で柔軟性を有する筒状の弾性布を用い、装着帯１１の巻き付け部位および亀頭の一部を覆うように、この保護部材１６を被せてから、装着帯１１を巻き付ける。
【００１８】
さらに、この発明の陰茎長さ矯正具において、引張部材１２は、図５に示すように、一端を支持部材１０に結び、他端を連結紐１５の中央部で結んで支持部材１０と装着帯１１とを連結する簡単な構造にすることもできる。
【００１９】
さらに、この発明の陰茎長さ矯正具において、装着帯１１は図６，図７及び図８に示すような構成とすることもできる。装着帯１１は、柔軟で伸縮性を有する袋状布２０の内部に織平ゴム２１を配置し、周囲の布部分を縫い付けてできている。その縫い付け方法は、装着帯１１が長手方向（矢印で示す）に伸縮可能となる縫い方である。そして、袋状布２０の表面にベルクロファスナー１４と連結紐１５とが、織平ゴム２１とともに縫い付けられている。なお、図においてＳは、縫い付け部あるいは縫い目を示している。
【００２０】
この発明の陰茎矯正具を使用するにあたっては、上述のように支持部材１０を膝Ａの下側に巻き付けると、支持部材１０が膝頭で止められるので、ずれ上がることがない。
【００２１】
上記各実施の形態は例示にすぎず、この発明は種々の態様を採ることができる。例えば、上記実施の形態では、装着帯１１と引張部材１２とを連結紐１５を介して連結したが、引張部材１２を装着帯１１に直接連結するようにしてもよい。また、装着帯１１や引張部材１２は全体を弾性材で構成することなく、長手方向の一部のみを弾性材で構成して伸縮可能としてもよい。
【００２２】
【発明の効果】
以上のように、この発明によれば、陰茎に巻き付けられる装着帯と、脚部に巻き付けられる支持部材とを弾性的に伸縮可能な引張部材で連結して陰茎長さを引張矯正するものであるため、それだけ構造が簡単でコストも安価にすることができ、しかも、装着状態でも何ら日常生活に支障をきたすことがなく、何時でも気軽に装着して使用することができる。
【図面の簡単な説明】
【図１】図１は、この発明による陰茎長さ矯正具の使用状態を示す正面図である。
【図２】図２（イ）は陰茎長さ矯正具の支持部材を示し、（ロ）は装着帯を示す平面図である。
【図３】図３は、支持部材の両端を止める構造の他例を示す斜視図である。
【図４】図４は、装着帯を保護部材を介して陰茎に巻き付ける例を示す説明図である。
【図５】図５は、引張部材の両端をそれぞれ支持帯と装着帯に結んで連結する例を示す正面図である。
【図６】図６は、装着帯の他例を示す平面図である。
【図７】図７は、同装着帯の長手方向に沿った断面図である。
【図８】図８は、同装着帯の長手方向と直角方向に沿った断面図である。
【図９】図９は、従来の機械的軟組織拡大器を示す斜視図である。
【符号の説明】
１０：支持部材
１１：装着帯
１２：引張部材
１６：保護部材
【図１】
0003756372.tif 000002
【図２】
0003756372.tif 000003
【図３】
0003756372.tif 000004
【図４】
0003756372.tif 000005
【図５】
0003756372.tif 000006
【図６】
0003756372.tif 000007
【図７】
0003756372.tif 000008
【図８】
0003756372.tif 000009
【図９】
0003756372.tif 000010